(57)【要約】【課題】一の扉部材の開放状態において他の扉部材の開放操作を防止できる遊技機を提供する。【解決手段】遊技機本体部３（一の扉部材）と、この裏面側の遊技主要ブロック５（他の扉部材）と、遊技機本体部３および遊技主要ブロック５を施錠する施錠装置１２０とを備え、施錠装置１２０は、鍵が時計方向に回動操作されることで遊技機本体部３を解錠し、鍵が反時計方向に回動操作されることで遊技主要ブロック５を解錠し、鍵が時計方向に回動操作されて所定の回動位置に達するとその回動位置で反時計方向には回動不能となるように当該鍵を固定する固定機構１２８を備えているので、仮に不正行為者が鍵を反時計方向に回動操作しようとしてもその回動操作ができず、不正に遊技主要ブロック５が解錠されることを防止でき、遊技場関係者の知らないうちに不正行為者によって解錠された遊技主要ブロック５を開放して不正行為が行われるという問題も防止できる。【選択図】図４
2015057240.tif 000002
【特許請求の範囲】
【請求項１】
本体枠と、当該本体枠に対して開閉可能に支持される第１扉部材と、を備えた遊技機において、
前記第１扉部材に設けられて当該第１扉部材に対して開閉可能に支持される第２扉部材と、
前記第１扉部材および第２扉部材を閉状態に施錠する施錠装置と、
を備え、
前記施錠装置は、鍵が挿入される鍵穴を備え、前記鍵穴に挿入された鍵が第１の方向に回動操作されることで前記第１扉部材を解錠するとともに、前記鍵穴に挿入された鍵が第１の方向とは異なる第２の方向に回動操作されることで前記第２扉部材を解錠するものであり、
前記鍵穴に挿入された鍵が第１の方向に回動操作されて所定の回動位置に達するとその回動位置で第２方向には回動不能となるように当該鍵を固定する固定手段
を備えていることを特徴とする遊技機。
【発明の詳細な説明】
【技術分野】
【０００１】
この発明は、遊技球を使用するパチンコ機、メダルまたは遊技球使用の回胴遊技機などの各種の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として当該外枠に対して開閉可能に支持される内枠と、この内枠の略中央に形成された開口に遊技領域が位置するように当該内枠に取り付けられる遊技盤と、内枠の正面視での左端側を開閉軸として当該内枠に対して開閉可能に支持され、遊技領域を視認するための視認窓を有する前面扉とを備えている。
【０００３】
この前面扉には施錠装置が設けられており、この施錠装置を鍵（キー）により操作することで前面扉および内枠の解錠・施錠を行っている。例えば、パチンコ機内部にトラブル等が発生した場合には、遊技場関係者（ホール員）が鍵を施錠装置の鍵穴に挿入してその鍵を時計方向に操作することで内枠が解錠され、内枠を開放してパチンコ機内部を点検することになる。なおこのとき、前面扉は施錠状態（内枠に対して閉じられた状態）のままであるため、前面扉が一体となった状態で内枠が開放されている。一方、遊技盤の遊技領域で球詰まり等が発生した場合には、施錠装置の鍵穴に挿入した鍵を前記とは反対方向（反時計方向）に操作することで前面扉のみが解錠され、前面扉を開放して遊技領域での球詰まりを解消することになる。（例えば、特許文献１参照）。
【先行技術文献】
【特許文献】
【０００４】
【特許文献１】特開２００５−１０２８８２号公報（第２１−２２頁，第２０−２４図）
【発明の概要】
【発明が解決しようとする課題】
【０００５】
しかしながら、このような構成を有する従来例の場合には、次のような問題がある。
すなわち、従来のパチンコ機では、例えば、パチンコ機内部にトラブル等が発生した場合には、遊技場関係者（ホール員）は、鍵を施錠装置の鍵穴に挿入してその鍵を時計方向に操作して内枠を解錠し、内枠を開放した状態でパチンコ機の内部を点検することになるが、遊技場関係者は開放された内枠の裏面側と外枠との間に位置して作業を行うため内枠の前面側（特に前面扉）が見えない状態で作業することがあり、このとき遊技場関係者に気付かれないように不正行為者が鍵を反時計方向に操作して前面扉が解錠されてしまうおそれがあるし、遊技場関係者がそれに気付かずに内部点検終了して内枠を閉じてその場から離れた後に、不正行為者が解錠状態の前面扉を開放して不正行為を行うという問題がある。
【０００６】
本発明は、このような事情に鑑みてなされたものであって、一の扉部材の開放状態において他の扉部材の開放操作を防止することができる遊技機を提供することを目的とする。
【課題を解決するための手段】
【０００７】
この発明は、このような目的を達成するために、次のような構成をとる。
すなわち、請求項１に記載の発明は、
本体枠と、当該本体枠に対して開閉可能に支持される第１扉部材と、を備えた遊技機において、
前記第１扉部材に設けられて当該第１扉部材に対して開閉可能に支持される第２扉部材と、
前記第１扉部材および第２扉部材を閉状態に施錠する施錠装置と、
を備え、
前記施錠装置は、鍵が挿入される鍵穴を備え、前記鍵穴に挿入された鍵が第１の方向に回動操作されることで前記第１扉部材を解錠するとともに、前記鍵穴に挿入された鍵が第１の方向とは異なる第２の方向に回動操作されることで前記第２扉部材を解錠するものであり、
前記鍵穴に挿入された鍵が第１の方向に回動操作されて所定の回動位置に達するとその回動位置で第２方向には回動不能となるように当該鍵を固定する固定手段
を備えていることを特徴とするものである。
【０００８】
［作用・効果］請求項１に記載の発明によれば、遊技機は、本体枠と、当該本体枠に対して開閉可能に支持される第１扉部材とを備えている。第２扉部材は、第１扉部材に設けられて当該第１扉部材に対して開閉可能に支持される。施錠装置は、第１扉部材および第２扉部材を閉状態に施錠する。さらに、この施錠装置は、鍵が挿入される鍵穴を備えており、鍵穴に挿入された鍵が第１の方向に回動操作されることで第１扉部材を解錠するとともに、鍵穴に挿入された鍵が第１の方向とは異なる第２の方向に回動操作されることで第２扉部材を解錠するものである。固定手段は、鍵が第１の方向に回動操作されて所定の回動位置に達するとその回動位置で第２の方向には回動不能となるように鍵を固定する。
【０００９】
したがって、遊技機内部のトラブル等の処理や遊技機内部の点検（確認）等の場合には、遊技場関係者（ホール員）は、鍵を施錠装置の鍵穴に挿入してその鍵を第１の方向に操作して第１扉部材を解錠し、第１扉部材を開放した状態で遊技機の内部を点検することになるが、この第１扉部材の解錠状態では、固定手段により鍵が第１の方向の回動位置で固定されており、鍵を第２の方向に回動できないようになっているので、仮に不正行為者が遊技場関係者に知られないように鍵を第２の方向に回動操作しようとしてもその回動操作ができず、不正に第２扉部材が解錠されることを防止できる。よって、遊技場関係者の知らないうちに不正行為者によって解錠された第２扉部材を開放して不正行為が行われるという問題も防止できる。
【００１０】
その結果、第１扉部材（一の扉部材）の開放状態において第２扉部材（他の扉部材）の開放操作を防止することができる遊技機を提供することができる。
【発明の効果】
【００１１】
この発明に係る遊技機によれば、遊技機内部のトラブル等の処理や遊技機内部の点検（確認）等の場合には、遊技場関係者（ホール員）は、鍵を施錠装置の鍵穴に挿入してその鍵を第１の方向に操作して第１扉部材を解錠し、第１扉部材を開放した状態でパチンコ機の内部を点検することになるが、この第１扉部材の解錠状態では、固定手段により鍵が第１の方向の回動位置で固定されており、鍵を第２の方向に回動できないようになっているので、仮に不正行為者が鍵を第２の方向に回動操作しようとしてもその回動操作ができず、不正に第２扉部材が解錠されることを防止できる。よって、遊技場関係者の知らないうちに不正行為者によって解錠された第２扉部材を開放して不正行為が行われるという問題も防止できる。その結果、第１扉部材（一の扉部材）の開放状態において第２扉部材（他の扉部材）の開放操作を防止することができる遊技機を提供することができる。
【図面の簡単な説明】
【００１２】
【図１】本発明の一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】（ａ）は遊技機本体部を背面側から見た図、（ｂ），（ｃ）はドアブロックに対する遊技盤ブロックと払出ブロックの開放動作状況を示す図である。
【図７】ドアブロックを前方から見た分解斜視図である。
【図８】ドアブロック４を後方から見た分解斜視図である。
【図９】ドアブロックを構成する前扉体と背面枠とを分離してそれらを前方から見た斜視図である。
【図１０】ドアブロックを構成する前扉体と背面枠とを分離してそれらを後方から見た斜視図である。
【図１１】受皿ブロックの斜視図である。
【図１２】遊技盤ブロックの後方斜視図である。
【図１３】遊技盤ブロックの分解斜視図である。
【図１４】前面枠体およびベース板とリール装置との斜視図である。
【図１５】払出ブロックの斜視図である。
【図１６】払出ブロックの背面図である。
【図１７】（ａ）は施錠装置の構成を示す斜視図、（ｂ）は施錠装置の裏面カバーを外した斜視図である。
【図１８】（ａ）〜（ｄ）は順に施錠装置を後方右側、前方左側、前方右側、後方左側から見た状態を示す斜視図である。
【図１９】（ａ）は操作キー未挿入状態での施錠装置を後方左側から見た図、（ｂ）は操作キーを時計回りに回動させた状態での施錠装置を後方左側から見た図、（ｃ）は操作キーを反時計回りに回動させた状態での施錠装置を後方左側から見た図である。
【図２０】（ａ）は施錠装置の固定機構がアンロック状態である場合における要部側面図、（ｂ）は要部斜視図であり、（ｃ）は施錠装置の固定機構がロック状態である場合における要部側面図、（ｄ）は要部斜視図である。
【図２１】（ａ）〜（ｃ）は、操作キーの回動固定状態のままでドアブロックを閉じる場合での自動復帰機構の動作を説明するための図である。
【発明を実施するための形態】
【００１３】
本明細書は、次のような遊技機に係る発明も開示している。
（０）  本体枠と、この本体枠の前面側に設けられて当該本体枠に対して開閉可能に支持される第１扉部材と、を備えた遊技機において、
前記第１扉部材の裏面側に設けられて当該第１扉部材に対して開閉可能に支持される第２扉部材と、
前記第１扉部材および前記第２扉部材を閉状態に施錠する施錠装置と、
を備え、
前記施錠装置は、鍵が挿入される鍵穴を備え、前記鍵穴に挿入された鍵が第１の方向に回動操作されることで前記第１扉部材を解錠するとともに、前記鍵穴に挿入された鍵が第１の方向とは異なる第２の方向に回動操作されることで前記第２扉部材を解錠するものであり、
前記鍵穴に挿入された鍵が第１の方向に回動操作されて所定の回動位置に達するとその回動位置で第２の方向には回動不能となるように当該鍵を固定する固定手段
を備えていることを特徴とするものである。
前記（０）に記載の発明によれば、遊技機は、本体枠と、この本体枠の前面側に設けられて当該本体枠に対して開閉可能に支持される第１扉部材とを備えている。第２扉部材は、第１扉部材の裏面側に設けられて当該第１扉部材に対して開閉可能に支持される。施錠装置は、第１扉部材および第２扉部材を閉状態に施錠する。さらに、この施錠装置は、鍵が挿入される鍵穴を備えており、鍵穴に挿入された鍵が第１の方向に回動操作されることで第１扉部材を解錠するとともに、鍵穴に挿入された鍵が第１の方向とは異なる第２の方向に回動操作されることで第２扉部材を解錠するものである。固定手段は、鍵が第１の方向に回動操作されて所定の回動位置に達するとその回動位置で第２の方向には回動不能となるように鍵を固定する。
したがって、遊技機内部のトラブル等の処理や遊技機内部の点検（確認）等の場合には、遊技場関係者（ホール員）は、鍵を施錠装置の鍵穴に挿入してその鍵を第１の方向に操作して第１扉部材を解錠し、第１扉部材を開放した状態で遊技機の内部を点検することになるが、この第１扉部材の解錠状態では、固定手段により鍵が第１の方向の回動位置で固定されており、鍵を第２の方向に回動できないようになっているので、仮に不正行為者が遊技場関係者に知られないように鍵を第２の方向に回動操作しようとしてもその回動操作ができず、不正に第２扉部材が解錠されることを防止できる。よって、遊技場関係者の知らないうちに不正行為者によって解錠された第２扉部材を開放して不正行為が行われるという問題も防止できる。
その結果、第１扉部材（一の扉部材）の開放状態において第２扉部材（他の扉部材）の開放操作を防止することができる遊技機を提供することができる。
【００１４】
（００）  本体枠と、この本体枠に対して前面側に開閉可能に支持される第１扉部材と、を備えた遊技機において、
前記第１扉部材の前面側に設けられて当該第１扉部材に対して開閉可能に支持される第２扉部材と、
前記第１扉部材および前記第２扉部材を閉状態に施錠する施錠装置と、
を備え、
前記施錠装置は、鍵が挿入される鍵穴を備え、前記鍵穴に挿入された鍵が第１の方向に回動操作されることで前記第１扉部材を解錠するとともに、前記鍵穴に挿入された鍵が第１の方向とは異なる第２の方向に回動操作されることで前記第２扉部材を解錠するものであり、
前記鍵穴に挿入された鍵が第１の方向に回動操作されて所定の回動位置に達するとその回動位置で第２の方向には回動不能となるように当該鍵を固定する固定手段
を備えていることを特徴とする遊技機。
【００１５】
前記（００）に記載の発明によれば、遊技機は、本体枠（例えば外枠）と、この本体枠に対して前面側に開閉可能に支持される第１扉部材（例えば内枠）とを備えている。第２扉部材（例えば前面扉枠あるいはガラス枠）は、第１扉部材の前面側に設けられて当該第１扉部材に対して開閉可能に支持される。施錠装置は、第１扉部材および前記第２扉部材を閉状態に施錠する。さらに、この施錠装置は、鍵が挿入される鍵穴を備えており、鍵穴に挿入された鍵が第１の方向に回動操作されることで第１扉部材を解錠するとともに、鍵穴に挿入された鍵が第１の方向とは異なる第２の方向に回動操作されることで第２扉部材を解錠するものである。固定手段は、鍵が第１の方向に回動操作されて所定の回動位置に達するとその回動位置で第２の方向には回動不能となるように鍵を固定する。
【００１６】
したがって、遊技機内部のトラブル等の処理や遊技機内部の点検（確認）等の場合には、遊技場関係者（ホール員）は、鍵を施錠装置の鍵穴に挿入してその鍵を第１の方向に操作して第１扉部材を解錠し、第１扉部材を開放した状態で第１扉部材の裏面側を点検することになるが、この第１扉部材の解錠状態では、固定手段により鍵が第１の方向の回動位置で固定されており、鍵を第２の方向に回動できないようになっているので、仮に不正行為者が遊技場関係者に知られないように鍵を第２の方向に回動操作しようとしてもその回動操作ができず、不正に第２扉部材が解錠されることを防止できる。よって、遊技場関係者の知らないうちに不正行為者によって解錠された第２扉部材を開放して不正行為が行われるという問題も防止できる。
【００１７】
その結果、第１扉部材（一の扉部材）の開放状態において第２扉部材（他の扉部材）の開放操作を防止することができる遊技機を提供することができる。
【００１８】
（１）  前記（０）または（００）に記載の遊技機において、
前記施錠装置の前記鍵穴は、前記第１扉部材の前面側に設けられており、
前記第１扉部材の裏面側には、前記固定手段による鍵の回動固定を解除する固定解除手段が設けられている
ことを特徴とする遊技機。
【００１９】
前記（１）に記載の発明によれば、遊技場関係者は、第１扉部材の前面側に設けられた鍵穴に鍵を挿入し、この鍵を第１の方向に回動操作することで、第１扉部材を解錠し、第１扉部材を開放した状態で遊技機の内部を点検することになる。つまり、遊技場関係者は開放された第１扉部材の裏面側と本体枠との間に位置して作業を行う。そして、開放状態の第１扉部材の裏面側、つまり、開放状態の第１扉部材での遊技場関係者が存する側には、固定手段による鍵の回動固定を解除する固定解除手段が設けられているので、他の者（不正行為者など）が固定解除手段を操作しようとしても当該操作作業を遊技場関係者に見られてしまい、遊技場関係者に知られずに操作することを困難にできる。
【００２０】
（２）  前記（１）に記載の遊技機において、
前記第１扉部材は、前記本体枠に係止する鉤部材を備え、
前記施錠装置は、前記鍵穴に挿入された鍵が第１の方向に回動操作されることで、前記鉤部材を前記本体枠への係止が解除された開位置に変位し、前記第１扉部材を解錠するものであり、
前記固定手段は、前記鍵を回動位置に固定した状態において前記鉤部材を開位置に固定している
ことを特徴とする遊技機。
【００２１】
前記（２）に記載の発明によれば、第１扉部材の鉤部材は、本体枠に係止する。施錠装置は、鍵穴に挿入された鍵が第１の方向に回動操作されることで、鉤部材を本体枠への係止が解除された開位置に変位し、第１扉部材を解錠する。固定手段は、鍵を回動位置に固定した状態において鉤部材を開位置に固定している。したがって、遊技関係者は、開位置で固定された鉤部材を見ることで、鍵が固定状態であることを認識できる。また、第１扉部材を閉状態にする際に、固定解除手段を操作することを気付かせることもできる。
【００２２】
（３）  前記（２）に記載の遊技機において、
前記固定解除手段は、前記固定手段による前記鍵の回動固定を解除すると、前記鍵を前記鍵穴に対して挿抜可能な中立位置に自動的に戻す自動復帰手段
を備えていることを特徴とする遊技機。
【００２３】
前記（３）に記載の発明によれば、固定解除手段の自動復帰手段は、固定手段による鍵の回動固定を解除すると、鍵を鍵穴に対して挿抜可能な中立位置に自動的に戻す。したがって、遊技関係者は、中立位置に戻された鍵を見ることで、鍵の回動固定が解除されていることを認識できる。
【００２４】
（４）  前記（３）に記載の遊技機において、
前記固定解除手段は、前記固定手段による前記鍵の回動固定状態のままで前記第１扉部材を前記本体枠に閉じる際に、前記第１扉部材の所定箇所が前記本体枠の対応する箇所に接触して押されることで前記自動復帰手段が動作して、前記固定手段による前記鍵の回動固定が自動的に解除されるとともに、前記自動復帰手段による前記鍵の中立位置への自動復帰に連動して前記鉤部材が閉位置に変位して前記施錠装置による前記第１扉部材の施錠がされるようになっている
ことを特徴とする遊技機。
【００２５】
前記（４）に記載の発明によれば、固定手段による鍵の回動固定状態のままで第１扉部材を本体枠に閉じる際に、第１扉部材の所定箇所が本体枠の対応する箇所に接触して押されることで自動復帰手段が動作して、固定手段による鍵の回動固定が自動的に解除されるとともに、自動復帰手段による鍵の中立位置への自動復帰に連動して鉤部材が閉位置に変位して施錠装置による第１扉部材の施錠がされるので、鍵を第１の方向に回動操作して第１扉部材を解錠しただけであれば、遊技場関係者は、自動復帰手段を操作せずとも、そのまま第１扉部材を閉めることで、鍵の回動固定の解除および第１扉部材の施錠を行うことができ、利便性に優れている。
【００２６】
（５）  前記（１）から（４）のいずれか一つに記載の遊技機において、
前記第２扉部材は、前記第１扉部材が解錠されて開放された状態において、前記鍵穴に挿入された前記鍵が第２の方向に回動操作されることで解錠されて開放可能となるものであり、
前記第２扉部材は、遊技者の利益に関する制御を担う制御手段と、前記制御手段を少なくとも覆うカバー部材とを備え、
前記カバー部材は、前記第２扉部材が解錠されて開放された状態で前記制御手段の覆いを解除可能となっている
ことを特徴とする遊技機。
【００２７】
前記（５）に記載の発明によれば、第２扉部材は、第１扉部材が解錠されて開放された状態において、鍵穴に挿入された鍵が第２の方向に回動操作されることで解錠されて開放可能となる。さらに、この第２扉部材は、遊技者の利益に関する制御を担う制御手段と、この制御手段を少なくとも覆うカバー部材とを備えている。また、カバー部材は、第２扉部材が解錠されて開放された状態で制御手段の覆いを解除可能となっている。したがって、第１扉部材の前面側の鍵穴に鍵を挿入してこの鍵を第１の方向に回動して、まず、第１扉部材を解錠し、この第１扉部材を開放し、そして、鍵穴に挿入された鍵を今度は反対の第２の方向に回動操作して第２扉部材を解錠し、この第２扉部材を開放し、さらにカバー部材による制御手段の覆いを解除しなければ、制御手段にアクセスできないので、これらの操作に手間がかかり、制御手段に対する不正行為を抑止することができる。
【００２８】
（６）  前記（０）から（５）のいずれか一つに記載の遊技機において、
前記遊技機はパチンコ機であることを特徴とする遊技機。
【００２９】
前記（６）に記載の遊技機によれば、第１扉部材（一の扉部材）の開放状態において第２扉部材（他の扉部材）の開放操作を防止することができるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３０】
（７）  前記（０）に記載の遊技機、または、前記（１）から（５）のいずれか一つに記載の遊技機において、
前記遊技機はスロットマシンであることを特徴とする遊技機。
【００３１】
前記（７）に記載の遊技機によれば、第１扉部材（一の扉部材）の開放状態において第２扉部材（他の扉部材）の開放操作を防止することができるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３２】
（８）  前記（０）に記載の遊技機、または、前記（１）から（５）のいずれか一つに記載の遊技機において、
前記遊技機はパチンコ機とスロットマシンとを融合させたものであることを特徴とする遊技機。
【００３３】
前記（８）に記載の遊技機によれば、第１扉部材（一の扉部材）の開放状態において第２扉部材（他の扉部材）の開放操作を防止することができる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３４】
（９）  前記（０）に記載の遊技機、または、前記（１）から（５）のいずれか一つに記載の遊技機において、
前記遊技機は、遊技者による始動操作に基づいて、複数の図柄を外周面に付した回転体の回転を開始させることで図柄の可変表示を開始し、前記回転体の回転停止時の図柄表示態様が所定の表示態様である場合に遊技球の払い出しが行われることを特徴とする遊技球使用の回胴遊技機。
【００３５】
前記（９）に記載の遊技機によれば、第１扉部材（一の扉部材）の開放状態において第２扉部材（他の扉部材）の開放操作を防止することができる、遊技球使用の回胴遊技機を提供できる。
【００３６】
以下に、本発明の遊技機（例えば、遊技球を遊技媒体として用いて遊技を行う、遊技球使用回胴遊技機）の実施の形態を、図面に基づいて詳細に説明する。
【００３７】
実施例の遊技機を、図面に基づいて詳細に説明する。実施例の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている遊技球使用の回胴遊技機である。本遊技機１には、遊技ホール等においてパチンコ機と共通の遊技球供給システムから遊技球の供給がなされるようになっており、パチンコ機が設置される既存の島設備（パチンコ島）に本遊技機を設置することが可能となっている。つまり、上記のパチンコ機用の島設備を特段に変更することなく、当該島設備に設置されていたパチンコ機に替えて、本遊技機１（遊技球使用の回胴遊技機）を設置することができる。
【００３８】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００３９】
遊技機１は、図１，３に示すように、本体枠としての外枠２と、この外枠２に対して前方に片開き可能に取り付けられた遊技機本体部３とを有する。
【００４０】
外枠２は、図１〜３に示すように、木製の板材を四辺に連結し構成されるものであって、全体として矩形状をなしている。本遊技機１を遊技ホールに設置する際には、外枠２が島設備に取り付け固定される。なお、外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠装置１２０（鉤金具１２３等を備える）を係止するための鉤受け部２ａ（図３参照）が設けられている。
【００４１】
遊技機本体部３は、図４に示すように、扉体ユニットであるドアブロック４と、このドアブロック４の背面側に設けられた遊技主要ブロック５とに大別される。以下に、ドアブロック４と遊技主要ブロック５とをその順に説明する。
【００４２】
図４に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して開閉可能に支持されている。この場合、遊技機１を正面から見て左側に開閉軸線が設けられる構成となっており、遊技機本体部３は正面から見て右側を開閉先端部として開放される。外枠２に対して遊技機本体部３が閉じた状態では、ドアブロック４の外周縁部の背面が外枠２の前面に当接するようになっている。
【００４３】
また、図４に示すように、ドアブロック４は、その背面側下部に、球受皿ユニットである受皿ブロック１０が着脱可能に取り付けられている。
【００４４】
続いて、遊技主要ブロック５について説明する。この遊技主要ブロック５は、図４に示すように、絵柄表示ユニットである遊技盤ブロック６と、遊技球の払出ユニットである払出ブロック７とから構成されている。
【００４５】
具体的には、遊技盤ブロック６は、図４に示すように、ドアブロック４の背面側において受皿ブロック１０の上方で片開き自在に取り付けられ、更に遊技盤ブロック６の背面側を覆うようにして払出ブロック７が取り付けられている。この遊技盤ブロック６と払出ブロック７とは、ドアブロック４の一端側（背面視で右端側）を開閉軸としてそれぞれ片開き自在に支持されている。つまり、遊技主要ブロック５（遊技盤ブロック６と払出ブロック７とからなる）は、外枠２に対してドアブロック４と一体で片開き自在となるとともに、ドアブロック４に対して遊技盤ブロック６と払出ブロック７とが各々個別に片開き自在となる構造を有する。
【００４６】
また、図３，図５に示すように、払出ブロック７は、その背面側下部に、払出制御装置１５７と電源装置１５６とが当該背面視で左から順に横並びに取り付けられている。
【００４７】
詳しくは、電源装置１５６は、電源基板（図示省略）と、この電源基板を収容する基板ボックス１５６ａとを備えている。この基板ボックス１５６ａは、例えば合成樹脂材料にて成形されており、特に内部（電源基板）を視認可能とすべく透明ボックスとされている。
【００４８】
また、払出制御装置１５７は、払出制御基板（図示省略）と、この払出制御基板を収容する基板ボックス１５７ａとを備えている。この基板ボックス１５７ａは、例えば合成樹脂材料にて成形されており、特に内部（払出制御基板）を視認可能とすべく透明ボックスとされている。
【００４９】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ），（ｃ）はドアブロック４に対する遊技盤ブロック６と払出ブロック７の開放動作状況を示す図である。
【００５０】
図６（ａ）に示すように、ドアブロック４に対して遊技盤ブロック６や払出ブロック７を開放動作させるための軸線ＡＸ１は図の右側（正面から見ると左側）に設けられている。この軸線ＡＸ１は、遊技盤ブロック６を支持するための軸線と払出ブロック７を支持するための軸線とを兼ねるものとなっている。この場合、図示のＭ１，Ｍ２は遊技盤ブロック６を支持するための支持手段であり、Ｍ３，Ｍ４は払出ブロック７を支持するための支持手段である。つまり、遊技盤ブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００５１】
上記構成により、図６（ｂ），（ｃ）の各動作が可能となっている。図６（ｂ）では、ドアブロック４に対して遊技盤ブロック６と払出ブロック７とを一体的に開放動作させている。また、図６（ｃ）では、図６（ｂ）の状態から遊技盤ブロック６に対して払出ブロック７を開放動作させている。つまり、ドアブロック４に対して遊技盤ブロック６を閉じた状態では、払出ブロック７を遊技盤ブロック６に閉じた状態で止めているレバーにアクセスできないことから、ドアブロック４に対して遊技盤ブロック６を開いた状態にしなければ、払出ブロック７を開放動作できないようになっている。
【００５２】
（ドアブロック４の説明）
次に、ドアブロック４を、図７〜図１１を用いて詳細に説明する。ここで、図７，図８は、ドアブロック４を前方及び後方から見たそれぞれの分解斜視図である。また、図９，図１０は、ドアブロック４を構成する前扉体１１と背面枠１２とを分離してそれらを前方から及び後方から見た斜視図である。図１１は受皿ブロック１０の斜視図である。
【００５３】
ドアブロック４において、前扉体１１は、外枠２とほぼ同等の大きさ（縦寸法及び横寸法）を有し、その背面側に重なるようにして背面枠１２が取り付けられている。背面枠１２は、例えばアルミダイキャストにて成形されており、前扉体１１を補強する役目を有する他、遊技主要ブロック５（遊技盤ブロック６と払出ブロック７とからなる）を支持する役目を有するものである。
【００５４】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿部１５１で余剰となった遊技球などを貯留するための下皿７１とを備える。
【００５５】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、後述する液晶表示装置（図１３に示す液晶表示装置５０４）の前面と、後述するリール装置（図１３に示すリール装置５０３）の前面とを覆うものであり、この透明パネル２２を介して液晶表示装置５０４（図１３参照）の表示画像やリール装置５０３（図１３参照）の図柄が視認される。
【００５６】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図１３参照）の図柄の視認性が良好なものとなっている。
【００５７】
前扉体１１の周縁部には、視認窓２１を略囲むようにして、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００５８】
ちなみに、視認窓２１は、前扉体１１の左右幅に対して左右の側方ランプ部２５を除く範囲で設けられており、故に視認窓２１は左右に幅広いものとなっている。また言い加えると、視認窓２１は、後述するリール装置５０３（図１３参照）や液晶表示装置５０４（図１３参照）の横幅よりも幅広となっている。
【００５９】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部に位置するように、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００６０】
ベットスイッチ３８は、遊技者によるベット（賭け数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、本遊技機１では、視認窓２１（透明パネル２２）と操作部３０との間に、左右方向に延びる長板状のサブパネル部５０が設けられており、このサブパネル部５０に１ベットスイッチ５５を備えている。１ベットスイッチ５５は、１回の押し操作により１ベット相当（５個分）の遊技球を取り込ませるためのベットスイッチである。また、２ベットスイッチを設ける構成としても良い。ちなみに、２ベットスイッチは、１回の押し操作により２ベット相当（１０個分）の遊技球を取り込ませるためのベットスイッチである。なお、これらの１ベットスイッチ５５や２ベットスイッチを備えない構成としてもよい。
【００６１】
スタートレバー３３は、後述するリール装置５０３（図１３参照）の各リール（回転体）を回転開始させるための操作部材であり、各リールを回転開始、すなわち図柄の可変表示を開始させるべく操作される始動操作手段を構成する。
【００６２】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００６３】
操作部３０の後方には、図７，図９に示すように、前面板部３１とほぼ同じ長さを有し上方に開口した横長状の開口部４１が形成されている。この開口部４１は、前扉体１１に受皿ブロック１０を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００６４】
操作部３０の前面板部３１には、図７，図９に示すように、正面から見て右下部に切欠部４２が形成されている。この切欠部４２は、排出操作伝達装置（図示省略）の操作レバー１８８を設置するための設置スペースとなっている。
【００６５】
また、図１，図１１に示すように、受皿ブロック１０の右側上面部分には、貸球操作部５２が設けられている。貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００６６】
さらに、サブパネル部５０は、図２に示すように、例えば２個の演出切換ボタン５９ａ，５９ｂとを備えている。例えば、遊技者が演出切換ボタン５９ａを選択すると、第１種類の演出表示などが行われ、演出切換ボタン５９ｂを選択すると、第２種類の演出表示などが行われるようになっている。
【００６７】
前扉体１１において、情報表示部５１や貸球繰作部５２の左右の側方部には、奥側に後退するようにして弧状の凹み部６１が設けられており、その凹み部６１には、外枠２に対する遊技機本体部３の施錠及び解錠を行うための施錠装置１２０の後述する背面枠１２に設けたキーシリンダ錠１２５の前面側を露出して収納されるためのキーシリンダ設置穴６２（図９参照）が設置されている。
【００６８】
図１等で確認できるとおり左右の凹み部６１は、上皿１５１の両側で直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００６９】
更に、図１に示すように、前扉体１１において、操作部３０の下方には、凹部６１に連続するようにして膨出部７０が形成されており、その膨出部７０に囲まれるようにして下皿７１と灰皿７２が形成されている。図９に示すように、膨出部７０に囲まれた奥壁部７３には、下皿排出口７４とスピーカ穴７５とが形成されている。上皿１５１やその上流通路に遊技球が満タンに貯留されている状態であって更に払出装置（後述する図１６の払出装置６０８）から遊技球が払い出される場合、或いは、上皿１５１内に貯留されている遊技球に対して球抜き操作が行われる場合には、下皿排出口７４を介して下皿７１に遊技球が排出される。
【００７０】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで開閉板７６が開位置にスライド移動し、下皿７１内の遊技球の排出が行われる。その他、膨出部７０において下皿７１の左右両側方には下皿ランプ部７８が設けられている。
【００７１】
図１０に示すように、前扉体１１の背面側の構成として、視認窓２１の左右両側には側方ランプ部２５を収容するランプ収容部９１が設けられている。
【００７２】
ここで透明パネル２２の取り付け手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、透明パネル２２の前扉体１１への取り付けが完了する。
【００７３】
（背面枠１２の説明）
図９や図１０に示すように、背面枠１２は、前扉体１１と略相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、背面枠１２の背面側には、下枠部１０４の上縁部の一部を除く範囲で中央開口部１０５を囲むようにして一定高さのリブ１０６が形成されている。また、背面枠１２において、外周縁部には前方に直角に折れ曲がった返し部１０７（図９，図１０参照）が形成されている。前扉体１１に対して背面枠１２を組み付けた際には、返し部１０７は前扉体１１の外縁部の内側に重なり、それによって前扉体１１と背面枠１２との間に空間が形成される。そしてこの空間を利用してランプ装置等が配設されるようになっている。
【００７４】
前述したように本遊技機１は、正面から見て左側に開閉軸線が設けられる構成となっており、上枠部１０３と下枠部１０４には前述のヒンジ金具８が上下２箇所に取り付けられている。
【００７５】
また、左枠部１０１には、リブ１０６の先端部から後方に延びるようにして上下一対の軸金具１１０，１１１が所定間隔を隔てて取り付けられている。この軸金具１１０，１１１は、遊技盤ブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００７６】
かかる場合、軸金具１１０の下側の軸受け部１１０ｂと軸金具１１１の上側の軸受け部１１１ａとが遊技盤ブロック６を支持するための遊技盤ブロック支持手段（図６（ａ）の支持手段Ｍ１，Ｍ２）に相当し、軸金具１１０の上側の軸受け部１１０ａと軸金具１１１の下側の軸受け部１１１ｂと払出ブロック７を支持するための払出ブロック支持手段（図６（ａ）の支持手段Ｍ３，Ｍ４）に相当する。
【００７７】
また、右枠部１０２には、図９，図１０に示すように、ドアブロック４を開放不能な施錠状態で保持するための施錠装置１２０が設けられている。なお、この施錠装置１２０については後ほど詳細に説明する。
【００７８】
下枠部１０４には、図９，図１０に示すように、前扉体１１に設けた下皿排出口７４に連通する連通口１３１が設けられるとともに、スピーカ穴７５から前方に露出するスピーカ１３２が設けられている。
【００７９】
背面枠１２の背面側には、遊技主要ブロック５の固定手段、つまり、操作キーを反時計周りに回動操作にかかわらず遊技主要ブロック５のドアブロック４への固定を維持するための後述するロック部材６２７（図３参照）が係止する鉤金具１３７が設けられている。
【００８０】
背面枠１２は、前扉体１１に対してネジ等の締結具を用いて取り付け固定される。
【００８１】
（受皿ブロック１０の説明）
次に、受皿ブロック１０について説明する。受皿ブロック１０は、図１１に示すように、順次に取打込まれる遊技球を一時的に貯留する機能を有する上皿１５１と、払出装置（後述する図１６の払出装置６０８）などから供給される遊技球を上皿１５１や下皿７１などに流通させる機能を有する球通路形成体１５２と、遊技球の取込機能を有する取込ユニット１５３（図７参照）とを備えるものである。
【００８２】
（受皿ブロック１０としての動作説明）
上記の如く構成される受皿ブロック１０において、上皿１５１に多数の遊技球が貯留されている状態では、遊技球は上皿１５１の最下流部での三列に分岐した案内通路（図示省略）で各一列に整列され、その整列状態での遊技球が取込ユニット１５３の三個の取込装置（図示省略）で並列的に取り込まれる。この取り込まれた遊技球は、所定通路で流れて外部（遊技ホールの島設備）に排出される。また、遊技球排出時（球抜き時）には、遊技球が、三個の取込装置（図示省略）の排出通路に流れて最終的に下皿７１に排出される。
【００８３】
一方、後述する図１６の払出装置６０８等から遊技球分配部材（図示省略）に遊技球が供給されると、この遊技球分配部材（図示省略）に設けられた各通路（図示省略）による振り分けによって、遊技球が上皿１５１、下皿排出通路（図示省略）、外部排出通路（図示省略）のいずれかに分配される。
【００８４】
（遊技盤ブロック６の説明）
次に、遊技盤ブロック６について図１２〜図１５を用いて説明する。図１２は遊技盤ブロック６の後方斜視図である。図１３は遊技盤ブロック６の分解斜視図である。図１４は、前面枠体５０１およびベース板５０２とリール装置５０３との斜視図である。
【００８５】
遊技盤ブロック６は、図１２，図１３に示すように、合成樹脂製の前面枠体５０１と、この前面枠体５０１の背面側に取り付けられる金属製のベース板５０２と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施するサブ制御装置５０６とを備えている。この場合、遊技盤ブロック６は、本遊技機１の遊技内容を決定する主要部品を全て備える構成となっており、仮に遊技ホール等において機種入替を行う場合には、この遊技盤ブロック６を現機種のものから新たな機種のものに入れ替えることで機種入替を行うことができるようになっている。すなわち、遊技盤ブロック６は機種入替時などにおける交換ユニットとなっている。
【００８６】
（前面枠体５０１の説明）
前面枠体５０１は、いずれも横長の矩形状をなす上下２つの開口が設けられており、それぞれ上側表示窓５１３、下側表示窓５１４となっている。上側表示窓５１３は、液晶表示装置５０４による表示画像を表示するための液晶画像表示部に相当し、下側表示窓５１４は、リール装置５０３の外周に付されたリール図柄を表示するためのリール図柄表示部に相当する。
【００８７】
遊技盤ブロック６をドアブロック４に装着した状態を想定すると、上側表示窓５１３の周囲部分は透明パネル２２の上側パネル面２２ａと同様にはほぼ鉛直方向に設けられ、下側表示窓５１４の周囲部分は、同透明パネル２２の下側パネル面２２ｂと同様に若干上方を向くようにして設けられることとなる。
【００８８】
（ベース板５０２の説明）
ベース板５０２は、前面枠体５０１とほぼ同じ大きさを有している。このべ一ス板５０２には、各々矩形状をなす上下２つの開口部（上側開口部５２１，下側開口部５２２）が形成されている。このうち、上側開口部５２１は液晶表示装置５０４を装着するための開口であり、下側開口部５２２はリール装置５０３を装着するための開口である。そして、ベース板５０２は、各開口部５２１，５２２の側方部位で前面枠体５０１への取り付けが行われる。なお、各開口部５２１，５２２は、前面枠体５０１の各表示窓５１３，５１４にそれぞれ対応して設けられており、各表示窓５１３，５１４よりも一回り大きいものとなっている。
【００８９】
ベース板５０２の背面側において左右両縁部にはそれぞれ角柱状の柱部５３１，５３２が取り付けられている。そのうち、背面側から見て右側の柱部５３１には支持金具５３３が取り付けられている。支持金具５３３には上下一対の支軸５３４ａ，５３４ｂが設けられている。支持金具５３３の支軸５３４ａ，５３４ｂは、遊技盤ブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと遊技盤ブロック６側の支軸５３４ａ，５３４ｂとが図６に示す「遊技盤ブロック６用の支持手段Ｍ１，Ｍ２」に相当する。
【００９０】
（リール装置５０３の説明）
リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ、リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３をベース板５０２に取り付けるための取付手段を構成するものである。
【００９１】
支持固定部５４５，５４６にはそれぞれ左右２カ所に孔部５４５ａ，５４６ａが設けられており、本リール装置５０３のベース板５０２への取り付け固定は、各孔部５４５ａ，５４６ａに挿通させたネジをベース板５０２のネジ穴にネジ止めさせることにより行われている。
【００９２】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【００９３】
（主制御装置５０５等の説明）
次に、主制御装置５０５やサブ制御装置５０６等の構成を、図１３等を用いて説明する。
【００９４】
主制御装置５０５は、ＣＰＵやメモリ等の電子部品が実装された主制御基板５６１と、この主制御基板５６１を収容するための略直方体形状のケース部材（ケース台５６２及びケースカバー５６３）と、主制御基板５６１を収容したケース部材が取り付けられる取付台５６４とから構成されている。ケース台５６２及びケースカバー５６３は透明な合成樹脂材料にて成形されており、この透明なケース台５６２及びケースカバー５６３によってその内部の主制御基板５６１が視認可能となっている。
【００９５】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【００９６】
サブ制御装置５０６は、ＣＰＵやメモリ等の電子部品が実装されたサブ制御基板５７１と、このサブ制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部のサブ制御基板５７１が視認可能となっている。
【００９７】
液晶表示装置５０４は、液晶パネル５８１と、この液晶パネル５８１を駆動する液晶ドライバ５８２とにより構成されている。
【００９８】
（遊技盤ブロック６として完成状態の説明）
遊技盤ブロック６の完成状態を図１２を用いて説明する。遊技盤ブロック６としては、前面枠体５０１とベース板５０２とを一体化させたものに、背後からリール装置５０３が取り付けられ、リール装置５０３の上方に液晶表示装置５０４が取り付けられている。また、リール装置５０３の側方に主制御装置５０５が取り付けられるとともに、同リール装置５０３の上方にサブ制御装置５０６が取り付けられている。
【００９９】
遊技盤ブロック６において、前面枠体５０１の上側表示窓５１３からは液晶パネル５８１のパネル面全体が視認できる。また，同前面枠体５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１００】
なお、遊技盤ブロック６には、図示省略の情報表示部が備えられている。この情報表示部（図示省略）には、小役成立時における獲得球数を表示する獲得球数表示部（図示省略）と、ビッグボーナスやレギュラーボーナス等の特別遊技状態の際に例えば残りのゲーム数等を表示するゲーム数表示部（図示省略）とが設けられている。これら獲得球数表示部（図示省略）やゲーム数表示部（図示省略）は、７セグメント表示器によって構成されているが、液晶表示器等によって代替することは当然可能である。
【０１０１】
（払出ブロック７の説明）
次に、払出ブロック７について図１５，図１６を用いて説明する。図１５は払出ブロック７の斜視図、図１６は払出ブロック７の背面図である。
【０１０２】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも遊技盤ブロック６の背面側構成（主制御装置５０５とリール装置５０３とサブ制御装置５０６）を収容するのに十分な大きさを有する。なお、保護カバー部６０４の背面には、図１５，図１６に示すように、多数の通気孔が設けられている。
【０１０３】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１０４】
払出装置６０８はケースレール６０７の最下流部に設けられ、受皿ブロック１０に設けた払出制御装置１５７からの制御信号により払出ソレノイド６０９が駆動されて必要個数の遊技球の払出が適宜行われる。払出装置６０８より払い出された遊技球は払出通路〈図示省略〉等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、遊技球を払い出す払出ソレノイド６０９と、その払い出される遊技球数をカウントする払出カウントスイッチとが設けられている。
【０１０５】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０１０６】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１０７】
裏カバー部材６０１には、図１５に示すように、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図１０等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０１０８】
また、図３に示すように、払出ブロック７の裏面視で右上隅箇所と下端中央箇所（図示省略）の箇所には、遊技主要ブロック５をドアブロック４に装着した状態で固定するための装着固定手段（ロック部材６２７）がそれぞれ設けられている。つまり、図３に示すように、遊技機本体部３が外枠２に対して片開きされた状態において、両方のロック部材６２７を解除することで、ドアブロック４の鉤金具１３７との固定が解除され、ロック部材６２７による遊技主要ブロック５のドアブロック４への固定を解除することができるので、後述するように施錠装置１２０に操作キーを挿入し、反時計周りに回動させることで、遊技主要ブロック５をドアブロック４に対して片開き状態とすることができる。つまり、予めロック部材６２７を解除し、操作キーを時計周りに回動操作して施錠装置１２０による遊技主要ブロック５のドアブロック４への施錠を解除することで、遊技主要ブロック５をドアブロック４に対して片開き状態とすることができる。
【０１０９】
なお、この片開き状態において遊技主要ブロック５を高さ方向に上げることで、遊技盤ブロック６の支軸５３４ａ，５３４ｂのドアブロック４の軸受け部１１０ｂ，１１１ａへの軸支が解除され、かつ、裏カバー部材６０１の支軸６２１ａ，６２１ｂのドアブロック４の軸受け部１１０ａ，１１１ｂへの軸支が解除され、遊技主要ブロック５がドアブロック４から取り外しできるようになっている。
【０１１０】
また、図４に示すように、遊技盤ブロック６の裏面視で左上隅と左下隅の箇所には、払出ブロック７を当該遊技盤ブロック６に装着した状態で固定するための装着固定手段（ロック部材６２５）がそれぞれ設けられている。つまり、図４に示すように、遊技主要ブロック５がドアブロック４に対して片開きされた状態において、ロック部材６２５を解除することで、払出ブロック７の鉤金具６２６との固定が解除され、払出ブロック７を遊技盤ブロック６に対して片開き状態とすることができる。
【０１１１】
なお、この片開き状態において払出ブロック７を高さ方向に上げることで、裏カバー部材６０１の支軸６２１ａ，６２１ｂのドアブロック４の軸受け部１１０ａ，１１１ｂへの軸支が解除され、払出ブロック７が遊技盤ブロック６から取り外しできるようになっている。また、払出ブロック７を遊技盤ブロック６に対して閉じた状態にしてロック部材６２５でロックする、つまりロック部材６２５を鉤金具６２６に係止させることで、払出ブロック７を遊技盤ブロック６に装着した状態で固定することができる。
【０１１２】
次に、本実施例の遊技機１のさらなる特徴部分の構成について説明する。
【０１１３】
本実施例の遊技機１は、前述したように、外枠２と、この外枠２の前面側に設けられて当該外枠２に対して開閉可能に支持される遊技機本体部３と、この遊技機本体部３の裏面側に設けられて当該遊技機本体部３に対して開閉可能に支持される遊技主要ブロック５と、遊技機本体部３および遊技主要ブロック５を閉状態に施錠する施錠装置１２０と、を備えている。
【０１１４】
施錠装置１２０は、図１〜図４に示すように、操作キーが挿入される鍵穴１２５ａを備え、この鍵穴１２５ａに挿入された操作キーが第１の方向（例えば時計方向）に回動操作されることで遊技機本体部３を解錠するとともに、鍵穴１２５ａに挿入された操作キーが第１の方向とは異なる第２の方向（例えば反時計方向）に回動操作されることで遊技主要ブロック５を解錠するものである。
【０１１５】
ここで、施錠装置１２０の構成について、図１７〜図２０を用いてもう少し詳細に説明する。
【０１１６】
図１７（ａ）は施錠装置１２０の構成を示す斜視図であり、図１７（ｂ）は施錠装置１２０の裏面カバーを外した状態を示す斜視図である。図１８（ａ）は施錠装置１２０を後方右側から見た状態を示す斜視図であり、図１８（ｂ）は施錠装置１２０を前方左側から見た状態を示す斜視図であり、図１８（ｃ）は施錠装置１２０を前方右側から見た状態を示す斜視図であり、図１８（ｄ）は施錠装置１２０を後方左側から見た状態を示す斜視図である。図１９（ａ）は操作キー未挿入状態での施錠装置１２０を後方左側から見た状態を示す斜視図であり、図１９（ｂ）は操作キーを時計回りに回動させた状態での施錠装置１２０を後方左側から見た状態を示す斜視図であり、図１８（ｃ）は操作キーを反時計回りに回動させた状態での施錠装置１２０を後方左側から見た状態を示す斜視図である。図２０（ａ）は施錠装置１２０の固定機構１２８がアンロック状態である場合における要部側面図であり、図２０（ｂ）はその図２０（ａ）の要部斜視図であり、図２０（ｃ）は施錠装置１２０の固定機構１２８がロック状態である場合における要部側面図であり、図２０（ｄ）はその図２０（ｃ）の要部斜視図である。
【０１１７】
具体的には、施錠装置１２０は、図１７に示すように、基枠１２１と第１連動杆１２２と鉤金具１２３と第２連動杆１２４とキーシリンダ錠１２５とを備えている。以下にこれらの各構成について説明する。
【０１１８】
すなわち、図１０に示すように、背面枠１２の右枠部１０２の背面側には、上下方向に延びる長尺状（長手形状）で、かつ、断面視が略Ｌ字状の金属製の基枠１２１が固定されている。この基枠１２１には、図１７に示すように、裏面視した状態でその突出壁１２１ａの左側面箇所に、当該基枠１２１に対して上下方向に移動可能に組み付けられた長尺状（長手形状）の金属製の第１連動杆１２２が設けられている。
【０１１９】
図１０，図１７に示すように、第１連動杆１２２には、鉤形状をなす上下一対の鉤金具１２３が設けられている。具体的には、鉤金具１２３は、その中間部分が基枠１２１側に軸支されており、第１連動杆１２２が上方に移動することでその先端鉤部が下方に移動する構成となっている。
【０１２０】
また、基枠１２１には、図１８（ａ），図１８（ｂ）に示すように、裏面視した状態でその突出壁１２１ａの右側面箇所に、当該基枠１２１に対して上下方向に移動可能に組み付けられた長尺状（長手形状）の金属製の第２連動杆１２４が設けられている。図１８（ｂ）に示すように、第２連動杆１２４の上下２箇所には鉤金具１２４ａが設けられている。この鉤金具１２４ａは、図１５に示す払出ブロック７を遊技盤ブロック６と対向する側を見た状態でその右端上下２箇所の係止部６１２に係止させるためのものである。
【０１２１】
また、図１７（ｂ）に示すように、第１連動杆１２２は、その中央やや下側箇所に、第１コイルバネ１２２ｂの一端を係止する係止突起１２２ｃを備えている。第２連動杆１２４は、第１連動杆１２２の係止突起１２２ｃよりも下方位置に、第１コイルバネ１２２ｂの他端を係止する係止突起１２４ｅを備えている。つまり、この第１連動杆１２２が下方に第１コイルバネ１２２ｂのバネ力でもって付勢され、かつ、第２連動杆１２４が上方に第１コイルバネ１２２ｂのバネ力でもって付勢されるようになっている。すなわち、第１連動杆１２２と第２連動杆１２４とは第１コイルバネ１２２ｂによって互いに引き付けられている。
【０１２２】
また、第１連動杆１２２は、その上部箇所に、第１コイルバネ１２２ｂで下方に付勢された状態で基枠１２１の規制突起部１２１ｃに当たる突出部１２２ｄを備え、この突出部１２２ｄが基枠１２１の規制突起部１２１ｃに当たることで第１連動杆１２２がそれ以上下方に移動しないように位置規制されている。また、第２連動杆１２４は、その上部、中部、下部の３箇所に、第１コイルバネ１２２ｂで上方に付勢された状態で基枠１２１の規制突起部１２２ｇに内周の一部が当たる長孔１２４ｃを備え、この長孔１２４ｃが基枠１２１の規制突起部１２２ｇに当たることで第２連動杆１２４がそれ以上上方に移動しないように位置規制されている。
【０１２３】
図１７に示すように、基枠１２１には、操作キー〈鍵〉が挿入されて所定方向に回動操作されることで施錠・解錠操作がされるキーシリンダ錠１２５が設けられている。このキーシリンダ錠１２５は前後方向に延びる向きで設けられており、図１に示すように、前扉体１１に背面枠１２を組み付けた際にはシリンダ前面（キー挿入孔の設置側）が前扉体１１に設けたキーシリンダ設置穴６２から露出することとなる。
【０１２４】
図１７（ａ）に示すように、このキーシリンダ錠１２５の裏面側（外枠２側）には、当該裏面側などを覆う裏面カバー１２６が設けられている。図１７（ｂ）に示すように、裏面カバー１２６を外した状態とすることでわかるように、キーシリンダ錠１２５の裏面側には、操作キーの回動操作に連動して回動する回動部材１２７が設けられている。この回動部材１２７は、第１連動杆１２２の係止孔１２２ａに先端部分が挿入された第１突起部１２７ａと、第１連動杆１２２の開口部１２２ｃに挿入されて第２連動杆１２４の切欠部１２４ｂに位置する第２突起部１２７ｂとを備えている。
【０１２５】
キーシリンダ錠１２５に操作キーを差し込んだ状態で、図１９（ｂ）に示すように、当該操作キーを時計回り方向に回動操作すると、回動部材１２７も操作キーと連動して時計回り方向に回動（図１９（ｂ）の裏面視では反時計回り方向に回動）する。つまり、第１連動杆１２２の係止孔１２２ａに挿入された第１突起部１２７ａが時計回り方向に回動（図１９（ｂ）の裏面視では反時計回り方向に回動）することで、この第１連動杆１２２が上方に押し上げられる（ドアブロック４の背面視でキーシリンダ錠１２５の回転部分が反時計回り方向に回るため）。これにより、第１連動杆１２２の鉤金具１２３の先端鉤部が下方に移動し、外枠２に対してドアブロック４が閉じている場合に、鉤金具１２３と外枠２側の鉤受け部２ａ（図３参照）との係止状態（すなわち施錠状態）が解除される。そして、外枠２に対してドアブロック４が開放可能となる。
【０１２６】
また、上記とは逆に、キーシリンダ錠１２５に操作キーを差し込んだ状態で、図１９（ｃ）に示すように、当該操作キーを反時計回り方向に回動操作すると、回動部材１２７も操作キーと連動して反時計回り方向に回動（図１９（ｃ）の裏面視では時計回り方向に回動）する。つまり、第１連動杆１２２の開口部１２２ｃに挿入された第２突起部１２７ｂが反時計回り方向に回動（図１９（ｃ）の裏面視では時計回り方向に回動）することで、この第２連動杆１２４が下方に押し下げられる（ドアブロック４の背面視でキーシリンダ錠１２５の回転部分が反時計回り方向に回るため）。これにより、第２連動杆１２４の鉤金具１２４ａが下方に移動し、ドアブロック４に対して遊技主要ブロック５が閉じている場合に、鉤金具１２４ａと払出ブロック７の係止部６１２（図１５参照）との係止状態（すなわち施錠状態）が解除される。そして、ドアブロック４に対して遊技主要ブロック５が開放可能となる。
【０１２７】
また、図１７（ａ）に示すように、基枠１２１は、その上部と中央部とに、第１連動杆１２２の上下動に連動して回動するクッション部材１３８をそれぞれ備えている。このクッション部材１３８は、遊技機本体部３を誤った状態（例えば、操作キーを右回しした状態とせずに閉めようとする場合）で閉鎖する時に当該遊技機本体部３を保護するためのものである。図１９（ｂ）に示すように、操作キーを右回しした状態では、クッション部材１３８は、第１連動杆１２２の上方への移動に連動して回動して基枠１２１内に収まっており、遊技機本体部３を閉じる際に外枠２と当たることがない。また、操作キーを中立の状態（図１９（ａ）参照）や左回しした状態（図１９（ｃ）参照）では、クッション部材１３８は、第１連動杆１２２が下がったままであり、基枠１２１から一部が出た状態となっており、このままで遊技機本体部３を閉じるとクッション部材１３８が外枠２に当たる。
【０１２８】
さらに、この遊技機１は、図２０に示すように、遊技機本体部３の施錠装置１２０の鍵穴１２５ａに挿入された操作キーが時計方向に回動操作されて所定の回動位置に達するとその回動位置で反時計方向には回動不能となるように当該操作キーを固定する固定機構１２８を備えている。
【０１２９】
つまり、遊技機本体部３は、外枠２に係止する鉤部材１２３を備えており、施錠装置１２０は、鍵穴１２５ａに挿入された操作キーが時計方向に回動操作されることで、鉤部材１２３を外枠２への係止が解除された開位置に変位し、遊技機本体部３を解錠するものであり、固定機構１２８は、操作キーを回動位置に固定した状態において鉤部材１２３を開位置で固定している。
【０１３０】
具体的には、固定機構１２８は、図１７，図２０に示すように、基枠１２１に対して回動自在に支持された回動金具１２８ａと、第２コイルバネ１２８ｂと、回動金具１２８ａの所定箇所に設けられた、第２コイルバネ１２８ｂの一端を係止する係止突起１２８ｃと、この第２コイルバネ１２８ｂの他端を係止する、基枠１２１に設けられた係止突起１２１ｂと、回動金具１２８ａの所定箇所に設けられた、第１連動杆１２２が上方位置で固定するための係止片１２８ｄと、第１連動杆１２２の所定箇所に設けられた、係止片１２８ｄが嵌まり込み得る窪み部１２８ｅとを備えている。
【０１３１】
また、図１７，図２０に示すように、基枠１２１は、その所定箇所に、回動金具１２８ａの回動を許可／不許可に切換可能な切換レバー１２９を備えている。図２０（ａ）に示すように、切換レバー１２９が垂直姿勢の場合には、回動金具１２８ａが回動しようとしてもこの回動金具１２８ａの上辺箇所が切換レバー１２９に当たり、回動金具１２８ａの回動ができない状態となっている。図２０（ｂ）に示すように、切換レバー１２９が傾斜姿勢の場合には、回動金具１２８ａが回動しようとしてもこの回動金具１２８ａの上辺箇所が切換レバー１２９に当たらず、回動金具１２８ａの回動ができる状態となっている。
【０１３２】
キーシリンダ錠１２５に操作キーを差し込んだ状態で、図１９（ｂ）に示すように、当該操作キーを時計回り方向に回動操作すると、第１連動杆１２２が上方に押し上げられ、第１連動杆１２２の窪み部１２８ｅが回動金具１２８ａの係止片１２８ｄの箇所まで近づいてくる。このとき、切換レバー１２９が図２０（ａ）に示すように不許可状態（垂直姿勢）であれば、回動金具１２８ａは切換レバー１２９に当たって回動できないが、切換レバー１２９が図２０（ｃ）に示すように許可状態（傾斜姿勢）であれば、回動金具１２８ａは切換レバー１２９に当たらず、回動金具１２８ａが基枠１２１の係止突起１２１ｂの方へ第２コイルバネ１２８ｂで付勢されている関係上、第１連動杆１２２の窪み部１２８ｅが回動金具１２８ａの係止片１２８ｄの箇所に位置すると、係止片１２８ｄが窪み部１２８ｅに嵌まり込むように回動金具１２８ａが回動し、第２コイルバネ１２８ｂの付勢力でその状態が維持される。つまり、第１連動杆１２２が上方に上がったままで維持されていることから、操作キーが時計回り方向に回した回動位置で固定された格好となっている。
【０１３３】
さらに、この遊技機１は、遊技機本体部３の前面側に施錠装置１２０の鍵穴１２５ａが設けられており、遊技機本体部３の裏面側には、固定機構１２８による操作キーの回動固定を解除する固定解除機構１３０が設けられている。
【０１３４】
この固定解除機構１３０は、回動金具１２８ａに設けられた操作片１２８ｆが遊技場関係者（ホール員）などによって操作されることで、第１連動杆１２２の窪み部１２８ｅへの回動金具１２８ａの係止片１２８ｄの嵌まり込みを解除する機構である。つまり、図２０（ｃ）の状態において、回動金具１２８ａの操作片１２８ｆが矢印方向に押下されると、第１連動杆１２２の窪み部１２８ｅへの回動金具１２８ａの係止片１２８ｄの嵌まり込みが解除されるやいなや第１連動杆１２２が下方に押し下がるとともに、操作キーの回動位置固定が解除されて、操作キー挿抜可能状態（垂直姿勢状態）に戻る。
【０１３５】
つまり、固定解除機構１３０は、固定機構１２８による操作キーの回動固定を解除すると、操作キーを鍵穴１２５ａに対して挿抜可能な中立位置に自動的に戻す自動復帰機構１３０ａ（第１コイルバネ１２２ｂの付勢力で第１連動杆１２２が下方に戻ることによってキーシリンダ錠１２５に挿入された操作キーを垂直姿勢状態に戻す構成）となっている。
【０１３６】
また、固定解除機構１３０は、固定機構１２８による操作キーの回動固定状態のままでドアブロック４を外枠２に閉じる際に、ドアブロック４の所定箇所が外枠２の対応する箇所に接触することで自動復帰機構１３０ａが動作して、固定機構１２８による操作キーの回動固定が自動的に解除されるとともに、自動復帰機構１３０ａによる操作キーの中立位置への自動復帰に連動して鉤部材１２３が閉位置に変位して施錠装置１２０によるドアブロック４の施錠がされるようになっている。
【０１３７】
ここで、固定機構１２８による操作キーの回動固定状態のままでドアブロック４を閉じる場合について図２１を用いて説明する。図２１（ａ）〜（ｃ）は、操作キーの回動固定状態のままでドアブロック４を閉じる場合での自動復帰機構１３０ａの動作を説明するための図である。
【０１３８】
図２１（ａ）に示すように、固定機構１２８による操作キーの回動固定状態、つまり、操作キーを時計回り方向に回動操作することで第１連動杆１２２が基枠１２１に対して上方に押し上げられて、第１連動杆１２２の窪み部１２８ｅに回動金具１２８ａの係止片１２８ｄが嵌まり込んで第２コイルバネ１２８ｂの付勢力でその状態が維持され、この第１連動杆１２２が上方位置で固定された状態のままで、ドアブロック４を外枠２に閉じようとしている。すなわち、ドアブロック４を外枠２に閉じようとしているため、ドアブロック４の裏面側の鉤部材１２３などが、外枠２の鉤受け部２ａの方に近づいていく（図２１（ａ）に二点鎖線矢印で示す方向に移動する）。
【０１３９】
そして、図２１（ｂ）に示すように、鉤受け部２ａが固定解除機構１３０の操作片１２８ｆの先端側に接触し、この操作片１２８ｆがそれ以上に押し込まれる（図２１（ｂ）に破線矢印で示す方向に押される）と、回動金具１２８ａの係止片１２８ｄが第１連動杆１２２の窪み部１２８ｅから外れるやいなや、第１コイルバネ１２２ｂの付勢力によって第１連動杆１２２が基枠１２１に対して下方に押し下げられる（図２１（ｂ）に二点鎖線矢印で示す方向に下がり）ことで鉤部材１２３の先端側が上がるように回動する（図２１（ｂ）に一点鎖線矢印で示す方向に回動する）。
【０１４０】
図２１（ｃ）に示すように、回動金具１２８ａの係止片１２８ｄが第１連動杆１２２の窪み部１２８ｅから外れているので、固定機構１２８による操作キーの回動固定が解除されているし、鉤部材１２３が鉤受け部２ａに係止されているので、施錠装置１２０によるドアブロック４の施錠もされている。
【０１４１】
つまり、ドアブロック４の所定箇所である鉤部材１２３の先端側が外枠２の対応する箇所である鉤受け部２ａに接触して押されることで、自動復帰機構１３０ａが動作して、固定機構１２８による操作キーの回動固定が自動的に解除されるとともに、自動復帰機構１３０ａによる操作キーの中立位置への自動復帰に連動して鉤部材１２３が閉位置に変位して施錠装置１２０によるドアブロック４の施錠がされるようになっている。
【０１４２】
また、遊技主要ブロック５は、遊技機本体部３が解錠されて開放された状態において、鍵穴１２５ａに挿入された操作キーが反時計方向に回動操作されることで解錠されて開放可能となる。遊技主要ブロック５は、遊技者の利益に関する制御を担う主制御装置５０５と、この主制御装置５０５を少なくとも覆う払出ブロック７とを備えている。払出ブロック７は、遊技主要ブロック５が解錠されて開放された状態で主制御装置５０５の覆いを解除可能となっている。
【０１４３】
なお、上述した外枠１は本発明の本体枠に相当し、上述した遊技機本体部３またはドアブロック４は本発明の第１扉部材に相当し、上述した遊技主要ブロック５は本発明の第２扉部材に相当し、上述した固定機構１２８は本発明の固定手段に相当し、上述した固定解除機構１３０は本発明の固定解除手段に相当し、上述した自動復帰機構１３０ａは本発明の自動復帰手段に相当し、上述した主制御装置５０５は本発明の制御手段に相当し、上述した裏カバー部材６０１は本発明のカバー部材に相当する。
【０１４４】
上述したように、本実施例の遊技機１によれば、外枠２と、この外枠２の前面側に設けられて当該外枠２に対して開閉可能に支持される遊技機本体部３と、この遊技機本体部３の裏面側に設けられて当該遊技機本体部３に対して開閉可能に支持される遊技主要ブロック５と、遊技機本体部３および遊技主要ブロック５を閉状態に施錠する施錠装置１２０と、を備え、施錠装置１２０は、操作キーが挿入される鍵穴１２５ａを備え、この鍵穴１２５ａに挿入された操作キーが第１の方向（時計方向）に回動操作されることで遊技機本体部３を解錠するとともに、鍵穴１２５ａに挿入された操作キーが第１の方向とは異なる第２の方向（反時計方向）に回動操作されることで遊技主要ブロック５を解錠するものであり、遊技機本体部３の施錠装置１２０の鍵穴１２５ａに挿入された操作キーが時計方向に回動操作されて所定の回動位置に達するとその回動位置で反時計方向には回動不能となるように当該操作キーを固定する固定機構１２８を備えている。
【０１４５】
したがって、遊技機内部のトラブル等の処理や遊技機内部の点検（確認）等の場合には、遊技場関係者（ホール員）は、操作キーを施錠装置１２０の鍵穴１２５ａに挿入してその操作キーを時計方向に操作して遊技機本体部３を解錠し、遊技機本体部３を開放した状態で遊技機の内部を点検することになるが、この遊技機本体部３の解錠状態では、固定機構１２８により操作キーが時計方向の回動位置で固定されており、操作キーを反時計方向に回動できないようになっているので、仮に不正行為者が遊技場関係者に知られないように操作キーを反時計方向に回動操作しようとしてもその回動操作ができず、不正に遊技主要ブロック５が解錠されることを防止できる。よって、遊技場関係者の知らないうちに不正行為者によって解錠された遊技主要ブロック５を開放して不正行為が行われるという問題も防止できる。
【０１４６】
その結果、遊技機本体部３（一の扉部材）の開放状態において遊技主要ブロック５（他の扉部材）の開放操作を防止することができる遊技機を提供することができる。
【０１４７】
また、施錠装置１２０の鍵穴１２５ａは遊技機本体部３の前面側に設けられており、遊技機本体部３の裏面側には、固定機構１２８による操作キーの回動固定を解除する固定解除機構１３０が設けられているので、つまり、開放状態の遊技機本体部３での遊技場関係者が存する側には、固定機構１２８による操作キーの回動固定を解除する固定解除機構１３０が設けられているので、他の者（不正行為者など）が固定解除機構１３０を操作しようとしても当該操作作業を遊技場関係者に見られてしまい、遊技場関係者に知られずに操作することを困難にできる。
【０１４８】
また、遊技機本体部３は、外枠２に係止する鉤部材１２３を備えており、施錠装置１２０は、鍵穴１２５ａに挿入された操作キーが時計方向に回動操作されることで、鉤部材１２３を外枠２への係止が解除された開位置に変位し、遊技機本体部３を解錠するものであり、固定機構１２８は、操作キーを回動位置に固定した状態において鉤部材１２３を開位置に固定しているので、遊技関係者は、開位置で固定された鉤部材１２３を見ることで、操作キーが固定状態であることを認識できる。また、遊技機本体部３を閉状態にする際に、固定解除機構１３０を操作することを気付かせることもできる。
【０１４９】
また、固定解除機構１３０は、固定機構１２８による操作キーの回動固定を解除すると、操作キーを鍵穴１２５ａに対して挿抜可能な中立位置に自動的に戻す自動復帰機構１３０ａを備えているので、遊技関係者は、中立位置に戻された操作キーを見ることで、操作キーの回動固定が解除されていることを認識できる。
【０１５０】
また、遊技主要ブロック５は、遊技機本体部３が解錠されて開放された状態において、鍵穴１２５ａに挿入された操作キーが反時計方向に回動操作されることで解錠されて開放可能となり、遊技主要ブロック５は、遊技者の利益に関する制御を担う主制御装置５０５と、この主制御装置５０５を少なくとも覆う払出ブロック７とを備え、払出ブロック７は、遊技主要ブロック５が解錠されて開放された状態で主制御装置５０５の覆いを解除可能となっているので、遊技機本体部３の前面側の鍵穴１２５ａに操作キーを挿入してこの操作キーを時計方向に回動して、遊技機本体部３を解錠して開放し、そして、鍵穴１２５ａに挿入された操作キーを今度は反時計方向に回動操作して遊技主要ブロック５を解錠して開放し、さらに払出ブロック７による主制御装置５０５の覆いを解除しなければ、主制御装置５０５にアクセスできないので、これらの操作に手間がかかり、主制御装置５０５に対する不正行為を抑止することができる。
【０１５１】
また、固定機構１２８は、図４に示すように、ドアブロック４の裏面視で左端高さ方向に沿った長尺状（長手形状）の基枠１２１に対して、この基枠１２１と同様に長尺状（長手形状）の第１連動杆１２２が長手方向に沿って上下動する構成であり、基枠１２１に対して第１連動杆１２２を上方向に動かした位置で固定することで、操作キーを回動位置に固定する構成をとっているので、剛性があり、強固な固定手段を実現できる。
【０１５２】
この発明は、上記実施形態に限られることはなく、下記のように変形実施することができる。
【０１５３】
（１）上述した実施例では、操作キーを時計方向に回動操作することで遊技機本体部３を解錠し、操作キーを反時計方向に回動操作することで遊技主要ブロック５を解錠しているが、反時計方向に回動操作することで遊技機本体部３を解錠し、時計方向に回動操作することで遊技主要ブロック５を解錠してもよい。
【０１５４】
（２）上述し実施例では、クッション部材１３８を採用しているが、クッション部材１３８を削除した遊技機としてもよい。
【０１５５】
（３）上述し実施例では、遊技球使用の回胴遊技機を例に挙げて説明してきたが、パチンコ機やスロットマシンやこれらを融合させた遊技機などに適用可能である。
【産業上の利用可能性】
【０１５６】
以上のように、この発明は、遊技球を使用するパチンコ機、メダルを使用するスロットマシン及び遊技球使用の回胴遊技機などの各種の遊技機に適している。
【符号の説明】
【０１５７】
１  …  遊技機
２  …  外枠（本体枠）
３  …  遊技機本体部（第１扉部材）
４  …  ドアブロック（第１扉部材）
５  …  機構板ブロック（第２扉部材）
６  …  遊技盤ブロック
７  …  払出ブロック
１２０  …  施錠装置
１２３  …  鉤金具
１２８  …  固定機構
１３０  …  固定解除機構
１３０ａ…  自動復帰機構
６０１  …  裏カバー部材
【図１】
2015057240.tif 000003
【図２】
2015057240.tif 000004
【図３】
2015057240.tif 000005
【図４】
2015057240.tif 000006
【図５】
2015057240.tif 000007
【図６】
2015057240.tif 000008
【図７】
2015057240.tif 000009
【図８】
2015057240.tif 000010
【図９】
2015057240.tif 000011
【図１０】
2015057240.tif 000012
【図１１】
2015057240.tif 000013
【図１２】
2015057240.tif 000014
【図１３】
2015057240.tif 000015
【図１４】
2015057240.tif 000016
【図１５】
2015057240.tif 000017
【図１６】
2015057240.tif 000018
【図１７】
2015057240.tif 000019
【図１８】
2015057240.tif 000020
【図１９】
2015057240.tif 000021
【図２０】
2015057240.tif 000022
【図２１】
2015057240.tif 000023